(57)【要約】      （修正有）【課題】繰り返しての使用ができるタグの取り付け具を提供する。【解決手段】ループ形成材１の一端に、内部に係止部４を備えた受孔３を有する受部２を備え、他端に前記した受部の受孔に嵌装され、係止部と掛合する係合部１０を有する挿入部８を備えたアタッチ部材において、前記受孔の一部壁面をバネ性を有する可動部としてあることとし、受孔を複数個とするとともに、挿入部を軸方向に直列に複数個連続して備えていることとし、受孔の奥行を深くするとともに、挿入部の係合部を構成する頭部を軸方向に二以上直列に連続して備えていることとする。【選択図】図１
2007328235.tif 000002
【特許請求の範囲】
【請求項１】
ループ形成材の一端に、内部に係止部を備えた受孔を有する受部を備え、他端に前記した受部の受孔に嵌装され、係止部と掛合する係合部を有する挿入部を備えたアタッチ部材において、前記受孔の一部壁面をバネ性を有する可動部としてあることを特徴とするアタッチ部材。
【請求項２】
前記した可動部は両サイドにスリットを形成した片体としてあることを特徴とする請求項１に記載のアタッチ部材。
【請求項３】
前記した片体とした可動部は受部の外側面の外方へ、その先端を突出させていることを特徴とする請求項１または請求項２に記載のアタッチ部材。
【請求項４】
前記した受部は、前記したバネ性を有する可動部を具備した受孔に隣接し、あるいは近傍に、前記した可動部のない完全ロック用の受孔を有していることを特徴とする請求項１、請求項２または請求項３に記載のアタッチ部材。
【請求項５】
ループ形成材の一端に、内部に係止部を備えた受孔を有する受部を備え、他端に前記した受部の受孔に嵌装され、係止部と掛合する係合部を有する挿入部を備えたアタッチ部材において、前記した受部の受孔を複数個とするとともに、挿入部を軸方向に直列に複数個連続して備えていることを特徴とするアタッチ部材。
【請求項６】
前記した受部の受孔は平行して設けられていることを特徴とする請求項５に記載のアタッチ部材。
【請求項７】
ループ形成材の一端に、内部に係止部を備えた受孔を有する受部を備え、他端に前記した受部の受孔に嵌装され、係止部と掛合する係合部を有する挿入部を備えたアタッチ部材において、前記した受部の受孔の奥行を深くするとともに、挿入部の係合部を構成する頭部を軸方向に二以上直列に連続して備えていることを特徴とするアタッチ部材。
【請求項８】
前記した連続された頭部の最端に位置する頭部内まで前記したループ形成材が貫入されていることを特徴とする請求項７に記載のアタッチ部材。
【請求項９】
前記したループ形成部材は糸であることを特徴とする請求項１、請求項２、請求項３、請求項４、請求項５、請求項６、請求項７または請求項８に記載のアタッチ部材。
【請求項１０】
前記した受部の外側面にクリップその他の別異に連結部を備えていることを特徴とする請求項１、請求項２、請求項３、請求項４、請求項５、請求項６、請求項７、請求項８または請求項９に記載のアタッチ部材。
【発明の詳細な説明】
【技術分野】
【０００１】
本発明はアタッチ部材、特に衣料品等の商品に価格や品質等を表示したタグを吊持取り付けるために使用するアタッチ部材に関する。
【背景技術】
【０００２】
従来より、衣料品等の店頭に陳列される商品には、その商品の価格や品質等を表示したタグがループ形成材を使用したものやピン材からなるアタッチ部材を介して吊持取り付けされている。このタグは店頭の陳列には襟部分やボタンホール等を利用して吊持取り付けされるが、製造から出荷の過程では商品のチェック作業等の関係から袖口に付けられるのが一般的である。
【０００３】
ここで、ループ形成材を用いてタグを吊持取り付けする場合、ループ形成材はそのループを切断しない限り、商品から外すことができないように構成されているため、製造から出荷の過程にあってはタグを安全ピン等を用いて仮留めし、店頭陳列時にその安全ピンを外し、前記した所定の位置へ付け替えをする作業がなされている。
【０００４】
しかしながら、前記したタグの付け替え作業にあって安全ピンを一旦留め、それを外してアタッチ部材を使用するという流れは非常に煩わしく、時間と労力を費やしてしまうものとなっていた。
【特許文献１】本願発明に関し、出願人は先行する技術の調査を行なったが、格別に関連すると思われる文献を発見することはできなかった。
【発明の開示】
【発明が解決しようとする課題】
【０００５】
本発明が解決しようとする問題点は、従来、衣料品等の商品に対してタグを吊持取り付けするためのアタッチ部材は一旦ロックしてしまうと、切断しない限り外すことはできず、タグの取り付け位置を変更するための繰り返しての使用ができる構成としたものが存在していなかったという点である。
【課題を解決するための手段】
【０００６】
係る問題点を解決するために、本発明に係るアタッチ部材はループ形成材の一端に、内部に係止部を備えた受孔を有する受部を備え、他端に前記した受部の受孔に嵌装され、係止部と掛合する係合部を有する挿入部を備えたアタッチ部材において、前記受孔の一部壁面をバネ性を有する可動部としてあることを特徴とし、前記した可動部は両サイドにスリットを形成した片体としてあることを特徴とし、前記した片体とした可動部は受部の外側面の外方へ、その先端を突出させていることを特徴とし、前記した受部は、前記したバネ性を有する可動部を具備した受孔に隣接し、あるいは近傍に、前記した可動部のない完全ロック用の受孔を有していることを特徴としている。
【０００７】
また、本発明に係るアタッチ部材はループ形成材の一端に、内部に係止部を備えた受孔を有する受部を備え、他端に前記した受部の受孔に嵌装され、係止部と掛合する係合部を有する挿入部を備えたアタッチ部材において、前記した受部の受孔を複数個とするとともに、挿入部を軸方向に直列に複数個連続して備えていることを特徴とし、前記した受部の受孔は平行して設けられていることを特徴としている。
【０００８】
さらに、本発明に係るアタッチ部材はループ形成材の一端に、内部に係止部を備えた受孔を有する受部を備え、他端に前記した受部の受孔に嵌装され、係止部と掛合する係合部を有する挿入部を備えたアタッチ部材において、前記した受部の受孔の奥行を深くするとともに、挿入部の係合部を構成する頭部を軸方向に二以上直列に連続して備えていることを特徴とし、前記した連続された頭部の最端に位置する頭部内まで前記したループ形成材が貫入されていることを特徴としている。
【０００９】
そして、本発明に係るアタッチ部材は前記したループ形成部材は糸であることを特徴とし、前記した受部の外側面にクリップその他の別異に連結部を備えていることを特徴としている。
【発明の効果】
【００１０】
本発明に係るアタッチ部材は上記のように構成されているので、一旦受部の受孔に嵌入され、ロック状態とされた挿入部をロックを開放することや、一部千切り取ることで外すことができ、再び別の商品の別部位に対し、装着し直すことができる。そのため、一連の作業が非常にスムーズで楽なものとなって、時間的、労力的に大きな節減を図ることができるものとなる。
【発明を実施するための最良の形態】
【００１１】
図面として示す各実施例のように構成することで実現した。
【実施例１】
【００１２】
次に、本発明の実施例を図面を参照して説明する。図１は本発明に係るアタッチ部材の第一実施例を示す部分断面正面図、図２は同じく平面図、図３は同じく底面図、図４は同じく右側面図、図５は同じく左側面図、図６は同じく図１中のＡ−Ａ’線断面図、図７は同じく図６中のＢ−Ｂ’線断面図、図８は変形例を示す部分断面正面図、図９は同じく平面図、図１０は同じく底面図、図１１は同じく右側面図、図１２は図８中のＡ−Ａ’線断面図、図１３は同じくＢ−Ｂ’線断面図である。
【００１３】
これらの図にあって１はループ形成材を示しており、このループ形成材１は糸が使用されているもので、約１０ｃｍ〜２０ｃｍ程度の適宜な長さを用途に応じ設定することができる。このループ形成材１の一端にはプラスチックで成形された受部２が一体的に備えられている。この受部２には貫通状態とされた円筒状の受孔３が形成されている。
【００１４】
前記した受孔３の内壁面の前方寄り略中央位置には、後述する挿入部の挿入側を挿入ガイド用のテーパとし、逆側を段状とした係止部４が一体に形成されている。また、受孔３のこの係止部４と対向する壁面は、両サイドにスリット５、５が設けられ、背面を空隙６としたバネ性を有する可動片７とされており、この可動片７の内面には前記係止部４と対応する位置に係止部４ａが一体に形成され、この係止部４ａと４とで全体としてスリット５、５部分が途切れるリング状の係止部を構成することとなる。尚、受部２の上面は前記した可動片７の先端を操作し易いようにするためその可動片７の先端が突出できるテーパ状としてある。また、可動片７の先端を突出させず、受部２内に位置させる構造とすることもでき、この場合は可動片７を小型の治具を用いて操作することとなる。
【００１５】
一方、ループ形成材１の他端には前記した受部２の受孔３へ嵌入され、ループのロック状態を構成する挿入部８が一体的に備えられており、この挿入部８の先端には挿入をガイドするため半球状とされた頭部９が一体に形成され、その頭部９の背面が係止部４、４ａと掛合する係合部１０とされている。また、細径部に続けては係止部４、４ａのテーパ面と当接するストッパ部１１がテーパ面として形成されている。
【００１６】
ここで、この実施例に係るアタッチ部材の使用法を説明すると、タグに形成されている透孔に挿入部８を挿通し、挿入部８を受孔３内に嵌入する。挿入部８の係合部１０が受孔３の係止部４、４ａと掛合されて、抜け止めされるロック状態となるが、可動片７を空隙６側へ傾動させることで、係止部４ａと係合部１０との掛合が解除され、挿入部８を受孔３から引き抜くことが可能となる。そして、商品の部位を変えて再び同一のアタッチ部材を使用し、タグを吊持取り付けすることができることとなる。
【００１７】
次いで、図８乃至図１３を参照して前記した第一実施例の変形例を説明する。尚、共通する部分には同一の符号を付して詳しい説明は省略する。この図８乃至図１３にあって１２は第２受孔を示している。この第２受孔１２は受孔３の係止部４が形成されている壁面を共通として受孔３に隣接して形成されている。
【００１８】
この第２受孔１２の内壁面には相互に対向する一対の爪状をしたバネ性を有する係止部１３、１３が一体に形成されている。この変形例にあっては、受孔３から一旦引き抜かれた挿入部８を第２受孔１２に挿入し、係合部１０を一対の係止部１３、１３と掛合させることで、今度は挿入部８の引き抜きを不可とする完全なロック状態とすることができることとなる。
【実施例２】
【００１９】
また、図１４乃至図１８を参照して本発明の第二実施例を説明する。図１４は正面図、図１５は右側面図、図１６は左側面図、図１７は図１４中のＡ−Ａ’線断面図、図１８は図１７中のＢ−Ｂ’線断面図である。尚、第一実施例と共通する部分は同一符号を付して詳しい説明は省略する。
【００２０】
この第二実施例では糸製のループ形成材１の一端に一体的に備えられた受部２には有底とした一対の受孔３、３が隣接して平行に形成されており、その各受孔３、３の奥部分にはその受孔３、３の軸芯と直交する方向に貫通する窓孔１４、１４が形成されている。
【００２１】
また、前記した各受孔３、３内には窓孔１４、１４に臨んで、半割形状として相対向する一対とし、略有底円筒体としたバネ性を保有した係止部１５、１５が一体に形成されている。この係止部１５、１５の基部には挿入部８の頭部９の挿入を受けガイドする凹部１５ａが形成されたものとなっている。
【００２２】
一方、ループを形成材１の他端には前述したものと同様の挿入部８が一体的に備えられているが、本実施例の場合はこの挿入部８の頭部９の先端に脆弱構成とした連結部１６を介して頭部９ａを有する第二の挿入部８ａが直列状態で一体的に連結されて備えられている。
【００２３】
ここで、この第二実施例に係るアタッチ部材の使用法を説明する。まず、ループ形成材１にタグの透孔を通して保持させ、第二の挿入部８ａを受部２のいずれか一方の受孔３内に嵌入させ係止部１５によりロック状態とする。次いで、アタッチ部材の取り付け位置を変更する場合に脆弱となっている連結部１６を千切り、あるいは捻ることで切断し、第二の挿入部８ａを嵌入された受孔３内に残留させたまま、挿入部８を別の受孔３内へ嵌入し、係止部１５によりロック状態とすることとなり、このロック状態はループ形成材１を切断しない限り開放できない。尚、挿入部８を別の受孔３へ嵌入する作業は窓孔１４を介して残留している第二の挿入部８ａの存在が目視確認できるので、受孔３の選択を誤ってしまうことはなくなる。
【実施例３】
【００２４】
さらに、図１９乃至図２５を参照して本発明の第三実施例を説明する。図１９は第三実施例を示す正面図、図２０は同じく右側面図、図２１は同じく左側面図、図２２は同じく図１９中のＡ−Ａ’線断面図、図２３は同じく変形例を示す正面図、図２４は同じく左側面図、図２５は同じく図２３中のＡ−Ａ’線断面図である。尚、前記した実施例を共通する部分は同一符号を付して詳しい説明は省略する。
【００２５】
この第三実施例にあって糸によるループ形成材１の一端には受部２が一体的に備えられており、この受部２には受孔３が形成され、第二実施例と同様な係止部１５、１５が一体形成され、その係止部１５、１５は貫通する窓孔１４に臨まされている。
【００２６】
一方、ループ形成材１の他端には挿入部８が一体的に備えられているが、本実施例にあってはこの挿入部８の頭部９の先端に脆弱な構成とした連結部１６を介して第二の頭部９ｂが一体的に連結された構成となっている。
【００２７】
ここで、この第三実施例に係るアタッチ部材の使用法を説明すると、まずループ形成材１にタグの透孔を通して保持させ、第二の頭部９ｂを受孔３内に嵌入し、係止部１５、１５により掛合してロック状態とする。次いで、このアタッチ部材の装着部位を変更する際に脆弱な連結部１６を切断して第二の頭部９ｂを切離し、窓孔１４から排出した後、改めて挿入部８の頭部９を受孔３に嵌入し、係止部１５、１５とのあいだで掛合し、ロック状態とする。このロック状態はループ形成材１を切断しない限り開放されることはないものとなっている。
【００２８】
続いて、図２３乃至図２５によってこの第三実施例の変形例を説明する。この変形実施例は基となる前記した第三実施例と同様であるが、この場合、糸製のループ形成材１は挿入部８から第二の頭部９ｂまでその内部を貫通し、また受部２の窓孔１４部分までも貫通したものとされている。
【００２９】
上記構成とした変形実施例の場合は、一旦、第二の頭部９ｂを受孔３に嵌入し、係止部１５、１５と掛合してロック状態とした後に、アタッチ部材の装着位置を変更する時、挿入部８を摘んで強く引くと、脆弱な連結部１６は切断され、第二の頭部９ｂを分離させるが、この際、ループ形成材１は第二の頭部９ｂ内から引き抜かれることとなる。即ち、この変形実施例にあってはループ形成材１をより長く使用して受部２や挿入部８内へ入れることで、そのループ形成材１と受部２、挿入部８との接合部分の強化を図ることが可能となっている。
【産業上の利用可能性】
【００３０】
本実施例に係るアタッチ部材は上記のように構成されている。ここで、ループ形成材１は糸を使用することとしているが、これは糸に代え、延伸処理されたプラスチック、チェーン、伸縮性のあるゴム紐、あるいは皮革紐を用いることもでき、これらを幅広とした帯材とすることも可能である。また、第一実施例や第二実施例の場合、受部２の外側部に別途にタグ吊り専用のクリップやホック、フック等を連結材を介し、あるいは直接的に付設する構成とすることも可能である。
【図面の簡単な説明】
【００３１】
【図１】本発明に係るアタッチ部材の第一実施例を示す部分断面正面図である。
【図２】平面図である。
【図３】底面図である。
【図４】右側面図である。
【図５】左側面図である。
【図６】図１中のＡ−Ａ’線断面図である。
【図７】図６中のＢ−Ｂ’線断面図である。
【図８】変形例を示す部分断面正面図である。
【図９】平面図である。
【図１０】底面図である。
【図１１】右側面図である。
【図１２】図８中のＡ−Ａ’線断面図である。
【図１３】Ｂ−Ｂ’線断面図である。
【図１４】正面図である。
【図１５】右側面図である。
【図１６】左側面図である。
【図１７】図１４中のＡ−Ａ’線断面図である。
【図１８】図１７中のＢ−Ｂ’線断面図である。
【図１９】第三実施例を示す正面図である。
【図２０】右側面図である。
【図２１】左側面図である。
【図２２】図１９中のＡ−Ａ’線断面図である。
【図２３】変形例を示す正面図である。
【図２４】左側面図である。
【図２５】図２３中のＡ−Ａ’線断面図である。
【符号の説明】
【００３２】
１    ループ形成材
２    受部
３    受孔
４    係止部
４ａ  係止部
５    スリット
６    空隙
７    可動片
８    挿入部
８ａ  第二の挿入部
９    頭部
９ａ  頭部
９ｂ  第二の頭部
１０  係合部
１１  ストッパ部
１２  第２受孔
１３  係止部
１４  窓孔
１５  係止部
１５ａ  凹部
１６  連結部
【図１】
2007328235.tif 000003
【図２】
2007328235.tif 000004
【図３】
2007328235.tif 000005
【図４】
2007328235.tif 000006
【図５】
2007328235.tif 000007
【図６】
2007328235.tif 000008
【図７】
2007328235.tif 000009
【図８】
2007328235.tif 000010
【図９】
2007328235.tif 000011
【図１０】
2007328235.tif 000012
【図１１】
2007328235.tif 000013
【図１２】
2007328235.tif 000014
【図１３】
2007328235.tif 000015
【図１４】
2007328235.tif 000016
【図１５】
2007328235.tif 000017
【図１６】
2007328235.tif 000018
【図１７】
2007328235.tif 000019
【図１８】
2007328235.tif 000020
【図１９】
2007328235.tif 000021
【図２０】
2007328235.tif 000022
【図２１】
2007328235.tif 000023
【図２２】
2007328235.tif 000024
【図２３】
2007328235.tif 000025
【図２４】
2007328235.tif 000026
【図２５】
2007328235.tif 000027